(57)【要約】【課題】本発明はエンジンオイルレベルの視認装置に関し、従来のオイルレベル測定装置に比し、簡単な構成で高精度にオイルレベルを点検することのできる視認装置を提供することを目的とする。【解決手段】オイルパンに取り付くガイドパイプの先端に装着され、上部に透明な蓋体が冠着されたオイルレベル視認器と、オイルレベル視認器に接続されたエア抜きホースとからなるエンジンオイルレベルの視認装置であって、上記オイルレベル視認器は、内部に、上記ガイドパイプを介してオイルパン内と連通し、オイルレベルの下限から上限に亘って上方へテーパ状に拡開し上部が開口するオイル室と、当該オイル室と外部とを連通するエア抜き通路とが形成され、オイル室の上部を覆って上記蓋体がオイルレベル視認器に取り付き、エア抜き通路が外部に開口する開口部に上記エア抜きホースが接続されていることを特徴とする。【選択図】      図１
2005017209.tif 000002
【特許請求の範囲】
【請求項１】
オイルパンに取り付くガイドパイプの先端に装着され、上部に透明な蓋体が冠着されたオイルレベル視認器と、当該オイルレベル視認器に接続されたエア抜きホースとからなるエンジンオイルレベルの視認装置であって、
上記オイルレベル視認器は、内部に、上記ガイドパイプを介してオイルパン内と連通し、オイルレベルの下限から上限に亘って上方へテーパ状に拡開し上部が開口するオイル室と、当該オイル室と外部とを連通するエア抜き通路とが形成され、
オイル室の上部を覆って上記蓋体がオイルレベル視認器に取り付き、
エア抜き通路が外部に開口する開口部に、上記エア抜きホースが接続されていることを特徴とするエンジンオイルレベルの視認装置。
【請求項２】
オイル室のテーパ状の壁面を、階段状に形成したことを特徴とする請求項１に記載のエンジンオイルレベルの視認装置。
【請求項３】
オイルレベル視認器は、ガイドパイプに着脱自在であることを特徴とする請求項１または請求項２に記載のエンジンオイルレベルの視認装置。
【請求項４】
蓋体の上部に、オイル室内が視認可能な透明な拡大レンズを取り付けたことを特徴とする請求項１乃至請求項３のいずれか１項に記載のエンジンオイルレベルの視認装置。
【請求項５】
蓋体の上部に、オイルレベル視認器の横方向からオイル室内が視認可能な反射鏡を取り付けたことを特徴とする請求項１乃至請求項４のいずれか１項に記載のエンジンオイルレベルの視認装置。
【請求項６】
蓋体に、オイル室内のオイルレベルの上限と下限を示す目印線を設けたことを特徴とする請求項１乃至請求項５のいずれか１項に記載のエンジンオイルレベルの視認装置。
【請求項７】
オイル室のテーパ状の壁面に、オイル室内のオイルレベルの上限と下限を示す目印線を設けたことを特徴とする請求項１乃至請求項５のいずれか１項に記載のエンジンオイルレベルの視認装置。
【発明の詳細な説明】
【０００１】
【発明の属する技術分野】
本発明は、エンジンオイルレベルの視認装置に関する。
【０００２】
【従来の技術】
従来、オイルパン内のエンジンオイルの油量を点検する手段として、オイルレベルゲージを用いたオイルレベル測定装置が知られている。
図５に示すようにこのオイルレベル測定装置１は、オイルパン３に挿着された金属製のガイドチューブ５と、当該ガイドチューブ５に連結された金属製のガイドパイプ７と、当該ガイドパイプ７に挿脱自在なオイルレベルゲージ９とで構成されている。
【０００３】
オイルレベルゲージ９は、ガイドパイプ７の先端開口部に弾性的に止着される止着部材１１と、当該止着部材１１の下部に取り付き、先端のゲージ部１３に「Ｈｉ」，「Ｌｏ」の目盛りとこれらの間に切欠き１５が設けられた平板状の鋼棒１７と、止着部材１１の上部に取り付く把持部１９とからなり、ガイドパイプ７に差し込まれたオイルレベルゲージ９を引き抜き、ゲージ部１１に付着しているオイル位置（オイル高さ）を確認してオイルレベルを点検するようになっている。
【０００４】
また、昨今では、上述した平板状の鋼棒に代え、ゲージ部と止着部材との間にワイヤを介装したオイルレベルゲージも知られている（例えば、特許文献１参照。）。
【特許文献１】
特開２００２−７０５１９号公報（段落番号「００１７」〜「００２５」、図１）。
【０００５】
【発明が解決しようとする課題】
しかし、運転中、オイルレベルは常時変動し、このため、上述の如くゲージ部に付着したオイル位置からオイルレベルを把握する従来例にあっては、ゲージ部に付着するオイル位置がばらつき、何度もオイルレベルゲージを抜き差ししてオイルレベルをチェックしなければならなかった。
【０００６】
また、斯様にオイルレベルゲージを用い、ゲージ部に付着したオイル位置からオイルレベルを間接的に確認する従来構造では、高精度にオイルレベルを把握することが難しいのが実情であった。
本発明は斯かる実情に鑑み案出されたもので、既述した従来のオイルレベル測定装置に比し、簡単な構成で高精度にオイルレベルを点検することのできるエンジンオイルレベルの視認装置を提供することを目的とする。
【０００７】
【課題を解決するための手段】
斯かる目的を達成するため、請求項１に係る発明は、オイルパンに取り付くガイドパイプの先端に装着され、上部に透明な蓋体が冠着されたオイルレベル視認器と、当該オイルレベル視認器に接続されたエア抜きホースとからなるエンジンオイルレベルの視認装置であって、上記オイルレベル視認器は、内部に、上記ガイドパイプを介してオイルパン内と連通し、オイルレベルの下限から上限に亘って上方へテーパ状に拡開し上部が開口するオイル室と、当該オイル室と外部とを連通するエア抜き通路とが形成され、オイル室の上部を覆って上記蓋体がオイルレベル視認器に取り付き、エア抜き通路が外部に開口する開口部に、上記エア抜きホースが接続されていることを特徴とする。
【０００８】
そして、請求項２に係る発明は、請求項１に記載のエンジンオイルレベルの視認装置に於て、オイル室のテーパ状の壁面を階段状に形成したことを特徴とし、請求項３に係る発明は、請求項１または請求項２に記載のエンジンオイルレベルの視認装置に於て、オイルレベル視認器はガイドパイプに着脱自在であることを特徴とする。
【０００９】
また、請求項４に係る発明は、請求項１乃至請求項３のいずれか１項に記載のエンジンオイルレベルの視認装置に於て、蓋体の上部にオイル室内が視認可能な透明な拡大レンズを取り付けたことを特徴とし、請求項５に係る発明は、蓋体の上部に、オイルレベル視認器の横方向からオイル室内が視認可能な反射鏡を取り付けたものである。
【００１０】
そして、請求項６に係る発明は、請求項１乃至請求項５のいずれか１項に記載のエンジンオイルレベルの視認装置に於て、蓋体に、オイル室内のオイルレベルの上限と下限を示す目標線を設けたことを特徴とし、請求項７に係る発明は、請求項１乃至請求項５のいずれか１項に記載のエンジンオイルレベルの視認装置に於て、オイル室のテーパ状の壁面に、オイル室内のオイルレベルの上限と下限を示す目標線を設けたことを特徴とする。
【００１１】
（作用）
請求項１に係る発明によれば、ガイドパイプを介してオイルパン内のエンジンオイルがオイルレベル視認器のオイル室に流入して、オイル室内のオイルレベルがオイルパン内のオイルレベルと同一になる。そして、オイルパン内のエンジンオイルのオイルレベルの変化に伴い、エア抜き通路とエア抜きホースからオイル室内のエアが流入，流出して、常にオイル室内のオイルレベルがオイルパン内のオイルレベルと同一になる。
【００１２】
そして、オイルレベルを点検するに当たり、透明な蓋体を介してオイル室内を覗き込めば、オイルレベルが直接目で確認でき、オイル室はオイルレベルの下限から上限に亘ってテーパ状に成形されているため、オイルレベルの把握が容易である。
また、請求項２に係る発明によれば、オイル室のテーパ状の周壁は階段状に形成されているため、オイルレベルを確認する際に階段状の段差がレベル確認の目安となってオイルレベルが把握し易くなる。
【００１３】
そして、請求項３に係る発明によれば、オイルレベル視認器がガイドパイプに着脱自在に取り付き、請求項４に係る発明によれば、拡大レンズによってオイルレベルが大きく見えることとなる。
一方、請求項５に係る発明によれば、オイルレベル視認器の横方向から反射鏡によってオイル室内が視認でき、請求項６及び請求項７に係る発明によれば、目印線がレベル確認の目安となってオイルレベルが把握し易くなる。
【００１４】
【発明の実施の形態】
以下、本発明の実施形態を図面に基づいて詳細に説明する。
図１乃至図３は請求項１乃至請求項４及び請求項６に係る視認装置の一実施形態を示し、図１に於て、２１はオイルパン２３に挿着された金属製のガイドチューブ、２５は当該ガイドチューブ２１に連結された金属製のガイドパイプで、ガイドパイプ２５の先端に設けたネジ止め部２７に、本実施形態に係る視認装置２９のオイルレベル視認器３１が斜めに傾いて取り付けられている。
【００１５】
図２はオイルレベル視認器３１の詳細を示し、図中、３３は耐熱樹脂で成形され、上記ネジ止め部２７に螺着可能なネジ部３５が下部に設けられた筒状のオイルレベル視認器本体で、当該オイルレベル視認器本体３３と、その上部に重合された樹脂製の透明板（蓋体）３７と拡大レンズ３９とでオイルレベル視認器３１が構成されている。
【００１６】
而して、オイルレベル視認器本体３３の内部には、その中心軸に沿って前記ネジ部３５に形成した貫通孔（オイル通路）４１と連通するオイル室４３が設けられており、図２及び図３に示すようにオイル室４３は、オイルレベルの下限（Ｌｏ）から上限（Ｈｉ）に亘って上方へテーパ状に拡開し、そのテーパ状の周壁は、オイルレベルの視認性を良好にするため階段状に形成されている。
【００１７】
尚、オイル室４３のオイルレベルの上限と下限の位置は、オイルパン２３内のエンジンオイルＯの上限，下限の油面と夫々一致するようにガイドパイプ２５の長さや太さ、そして、オイルレベル視認器本体３３自体が、夫々、所定寸法に設定されている。
【００１８】
そして、オイル室４３の上部は開口しており、オイルレベル視認器本体３３の上部に取り付く前記透明板３７と拡大レンズ３９を通してオイル室４３内が上方から視認できるようになっている。
また、オイルレベル視認器本体３３の上部外周には、上方へ突出する断面略Ｌ字状のホース接続部４５が一体成形されており、図示するように当該ホース接続部４５と、筒状に形成されたオイル室４３の上部周壁との間に、１本のエア抜き通路４７がホース接続部４５の中心に沿って設けられている。そして、エア抜き通路４７が開口するホース接続部４５の先端開口部に、樹脂製で成形されたエア抜きホース４９が上方に向けて接続されている。
【００１９】
そして、図３に示すように前記透明板３７には、オイル室４３内のオイルレベルの上限と下限を示すＨｉ目印線５１とＬｏ目印線５３が楕円状に刻まれており、オイル室４３内のオイルレベルが上限にあるとき、油面がＨｉ目印線５１と一致し、また、オイルレベルが下限にあるとき、油面がＬｏ目印線５３と一致するようになっている。
【００２０】
その他、図２中、５５はネジ部３５の軸部５７に環装されたリング状のオイルシールである。
本実施形態はこのように構成されており、オイルパン２３に取り付くガイドパイプ２５のネジ止め部２７にオイルレベル視認器３１を螺着すれば、ガイドパイプ２５及び貫通孔４１を介してオイルパン２１内のエンジンオイルＯがオイル室４３に流入して、図１に示すようにオイル室４３内のオイルレベルがオイルパン２１内のオイルレベルと同一になる。そして、オイルパン２１内のエンジンオイルＯのオイルレベルの変化に伴い、エア抜き通路４７とエア抜きホース４９からオイル室４３内のエアが流入，流出して、常にオイル室４３内のオイルレベルがオイルパン２１内のオイルレベルと同一になる。
【００２１】
そして、オイルレベルを点検するに当たり、上方から拡大レンズ３９と透明板３７を介してオイル室４３内を覗き込めば、Ｈｉ目印線５１とＬｏ目印線５３を目印にしてオイルレベルが直接目で確認できることとなる。
而も、拡大レンズ３９によってオイルレベルが大きく見え、また、既述したようにオイル室４３は、オイルレベルの下限から上限に亘ってテーパ状に成形されると共に、そのテーパ状の周壁は階段状に形成されていることも相俟って、図３に示すようにオイルレベルを確認する際に、階段状の段差がレベル確認の目安となってオイルレベルが把握し易い。
【００２２】
このように本実施形態によれば、簡単な構造のオイルレベル視認器３１によってオイルレベルを直接目で視認することができるので、オイルレベルゲージを用いてオイルレベルを間接的に点検する図５の従来例に比し、高精度にオイルレベルを把握することができ、而も、Ｈｉ目印線５１とＬｏ目印線５３を目印として、現在のオイルレベルを正確に把握することができる利点を有する。
【００２３】
また、オイルレベルが常時変動してばらついても、従来の如く何度もオイルレベルゲージを抜き差しする必要がなく、オイルレベル視認器３１の上方からオイル室４３内を覗き込むだけでよいため、従来の煩わしい点検作業から解放されることとなった。
そして、既述したように拡大レンズ３９によってオイルレベルが大きく見え、また、オイル室４３はオイルレベルの下限から上限に亘ってテーパ状に成形されると共に、そのテーパ状の周壁は階段状に形成されていることも相俟って、オイルレベルを確認する際に階段状の段差がレベル確認の目安となり、オイルレベルが把握し易い利点を有する。
【００２４】
更にまた、オイルレベル視認器３１やエア抜きホース４９は樹脂で成形されているため製造コストも安く、図５の従来構造に対し、そのガイドパイプ７を本実施形態のガイドパイプ２５に交換するだけでよいため、既存のオイルレベル測定装置を装着した車両に本実施形態の視認装置２９を適用することができる。
【００２５】
図４は請求項１乃至請求項６の一実施形態に係る視認装置に用いるオイルレベル視認器を示し、本実施形態は、他の機器類とのレイアウト上、オイルレベル視認器３１−１の上方からオイルレベルを視認することができない場合に対処するため、横方向からオイル室４３内が視認可能な反射鏡５９をオイルレベル視認器本体３３−１の上部に配置したもので、反射鏡５９は、前記透明板３７と同一材料で透明板３７−１を成形するに当たり、斜め上方に傾斜し、両側が支持板６１で支持された平板部６３を透明板３７−１に一体成形して、平板部６３の内面を例えば銀メッキを施して成形されている。
【００２６】
また、横方向からの視認性を確保するため、本実施形態では前記拡大レンズ３９に比し薄い拡大レンズ３９−１を使用している。
尚、その他の構成は図１の実施形態と同様であるので、同一のものには同一符号を付してそれらの説明は省略する。
而して、本実施形態によれば、反射鏡５９を介してオイルレベル視認器３１−１の横方向からオイル室４３内のオイルレベルを直接目で視認することができるので、本実施形態によっても、オイルレベルゲージを用いてオイルレベルを間接的に点検する図５の従来例に比し、高精度にオイルレベルを把握することが可能である。
【００２７】
尚、上記各実施形態では、オイルレベルの下限から上限に亘って上方へテーパ状に成形したオイル室４３の周壁を階段状に形成し、透明板３７にＨｉ目印線５１とＬｏ目印線５３を刻設したが、図示しない請求項７の一実施形態の如く、斯様にオイル室４３の周壁を階段状に形成せず、テーパ状に成形された周壁にＨｉ，Ｌｏの目印線を、突条または溝、更にまた、例えば赤と青の線等で施して、透明板３７側のＨｉ目印線５１とＬｏ目印線５３を省略してもよい。
【００２８】
而して、この実施形態によっても、前記各実施形態と同様、所期の目的を達成することが可能である。
また、オイルレベル視認器３１のオイルレベル視認器本体３３をガイドパイプ２５に取外し不能に固着してもよいことは勿論である。
【００２９】
【発明の効果】
以上述べたように、各請求項に係る発明によれば、オイルレベル視認器の透明な蓋体を介してオイル室内のオイルレベルを直接目で視認することができるので、オイルレベルゲージを用いてオイルレベルを間接的に点検していた従来のオイルレベル測定装置に比し、高精度にオイルレベルを把握することができることとなった。
【００３０】
而も、オイルレベルが常時変動してばらついても、従来の如く何度もオイルレベルゲージを抜き差しする必要がなく、単にオイル室内を覗き込むだけでよいため、従来の煩わしい点検作業から解放されることとなった。
また、オイル室はオイルレベルの下限から上限に亘ってテーパ状に成形されているため、オイルレベルが把握し易い利点を有する。
【００３１】
そして、請求項２に係る発明によれば、オイルレベルを確認する際に階段状の段差がレベル確認の目安になるため、オイルレベルの把握が更に容易となる利点を有する。
また、請求項４に係る発明によれば、拡大レンズによってオイルレベルが大きく見えるため、オイルレベルの把握が更に容易となる。
【００３２】
更にまた、請求項５に係る発明によれば、他の機器類とのレイアウト上、オイルレベル視認器の上方からオイルレベルを視認することができない場合に、反射鏡を介して横方向からオイル室内を視認することができる利点を有する。
そして、請求項６及び請求項７に係る発明によれば、目印線を目印として、オイルレベルを正確に把握することができる。
【図面の簡単な説明】
【図１】請求項１乃至請求項４及び請求項６の一実施形態に係る視認装置の全体構成図である。
【図２】オイルレベル視認器の拡大断面図である。
【図３】オイルレベル視認器の平面図である。
【図４】請求項１乃至請求項６の一実施形態に係る視認装置に用いるオイルレベル視認器の拡大断面図である。
【図５】従来のオイルレベル測定装置の説明図である。
【符号の説明】
２１  ガイドチューブ
２３  オイルパン
２５  ガイドパイプ
２７  ネジ止め部
２９  視認装置
３１，３１−１  オイルレベル視認器
３３  オイルレベル視認器本体
３５  ネジ部
３７，３７−１  透明板
３９，３９−１  拡大レンズ
４１  貫通孔
４３  オイル室
４５  ホース接続部
４７  エア抜き通路
４９  エア抜きホース
５１  Ｈｉ目印線
５３  Ｌｏ目印線
５９  反射鏡
【図１】
2005017209.tif 000003
【図２】
2005017209.tif 000004
【図３】
2005017209.tif 000005
【図４】
2005017209.tif 000006
【図５】
2005017209.tif 000007